(57)【要約】【課題】  簡易な構造で、作業性の改善できる機器取付器具を得る。【解決手段】  両端部にそれぞれ一対の螺子部３ａ，３ｂを有し、かつ中央部分が屈曲又は湾曲状に形成されて両端部の間の開口部に支柱５０を配置可能な棒状の第１押さえ部３と、機器３０を固定する機器固定部２と支柱５０に当接する当接部４ｃとを有して第１押さえ部３の開口部を閉じるように配置される第２押さえ部４とを備え、第２押さえ部４は第１押さえ部３の一方の端部が貫通可能な切欠き部４ａと第１押さえ部３の他方の端部が貫通可能な略Ｌ字状の孔部４ｄとを設けられている。【選択図】        図１
2005030583.tif 000002
【特許請求の範囲】
【請求項１】
両端部にそれぞれ一対の螺子部を有し、かつ中央部分が屈曲又は湾曲状に形成されて前記両端部の間の開口部に支柱を配置可能な棒状の第１押さえ部と、機器を固定する機器固定部と前記支柱に当接する当接部とを有して前記第１押さえ部の開口部を閉じるように配置される第２押さえ部とを備え、前記第２押さえ部は前記第１押さえ部の一方の端部が貫通可能な切欠き部と前記第１押さえ部の他方の端部が貫通可能な略Ｌ字状の孔部とを設けられていることを特徴とする機器取付器具。
【請求項２】
両端部にそれぞれ一対の螺子部を有し、かつ中央部分が屈曲又は湾曲状に形成されて前記両端部の間の開口部に支柱を配置可能な棒状の第１押さえ部と、機器を固定する機器固定部と前記支柱に当接する当接部とを有して前記第１押さえ部の開口部を閉じるように配置される第２押さえ部とを備え、前記第２押さえ部は前記第１押さえ部の一方の端部が貫通可能な切欠き部と前記第１押さえ部の他方の端部が貫通可能な貫通孔部とを設けられ、前記貫通孔部は所定方向に長手の第１孔部とこの第１孔部に連なって前記所定方向以外の方向に形成された第２孔部とを設けられていることを特徴とする機器取付器具。
【請求項３】
第２孔部は当接部の近傍まで形成されていることを特徴とする請求項２に記載の機器取付器具。
【請求項４】
第２押さえ部は板材を曲げることで断面略コ字状に形成され、かつ当接部が長手方向に沿った開口縁部分に形成され、かつ第１孔部が背板部分に前記長手方向に沿って形成され、かつ第２孔部が曲げ部分まで含めて形成されていることを特徴とする請求項２又は３に記載の機器取付器具。
【請求項５】
第２押さえ部の切欠き部は所定方向に長手に形成され、かつ前記所定方向以外の方向に窪んだ窪み部を設けられていることを特徴とする請求項１又は２に記載の機器取付器具。
【請求項６】
第２押さえ部の窪み部は第１押さえ部が入り込める大きさであり、かつ縁部分が面取りされていることを特徴とする請求項５に記載の機器取付器具。
【請求項７】
第１押さえ部は一対の螺子部が雄螺子とこの雄螺子に螺合する蝶ナットであることを特徴とする請求項１乃至６の何れかに記載の機器取付器具。
【請求項８】
機器固定部は機器の固定位置を可変にできる取付部を有することを特徴とする請求項１乃至７の何れかに記載の機器取付器具。
【発明の詳細な説明】
【技術分野】
【０００１】
この発明は、機器をマストなどの支柱に取り付けるための取り付け金具の構造に係わり、特にアンテナ装置をマストに取り付けるための機器取付器具に関するものである。
【背景技術】
【０００２】
従来の機器取付機構は、Ｕボルトの一方の端部と他方の端部を押さえ板の長孔部と切欠き部に貫通させてマストを挟み込み、Ｕボルトにナットを螺合してＵボルト、マスト及び押さえ板を締結し、押さえ板に固定したアンテナ装置をマストに取り付けるように構成している。（例えば、特許文献１参照。）
その取付け作業において、Ｕボルトと押さえ板とを全く分離した状態からマストを挟み込んで取付ける方法や、長孔部にＵボルトの一端部を貫通させてナットを仮螺合し、Ｕボルトが押さえ板から抜けないようにして、押さえ板をＵボルトの開口からずらしてＵボルトの開口部にマストを入れ、押さえ板を元に戻してナットを締結することで取付ける方法がある。
【０００３】
【特許文献１】実開昭５１−１３４３４７号（第３頁、第８図）
【発明の開示】
【発明が解決しようとする課題】
【０００４】
従来の機器取付機構は以上のように構成されているので、Ｕボルトが押さえ板から抜けない状態にしてマストに取り付けようとした場合、機器が固定される押さえ板側を移動させなければならず、容易でなく作業性が悪いという問題点があった。また、Ｕボルトのみを動かせば良いように長孔部を大きくすると押さえ板の強度を補うために板厚を大きくしたり全体的に大きくなければならず、コスト、作業性が悪いという問題点があった。また、取付金具を斜めにした場合、Ｕボルトが長孔部から脱落してしまうという問題点があった。
【０００５】
この発明は以上のような問題点を解消するためになされたもので、簡易な構造で、作業性の改善できる機器取付器具を得ることを目的とする。
【課題を解決するための手段】
【０００６】
この発明による機器取付器具は、両端部にそれぞれ一対の螺子部を有し、かつ中央部分が屈曲又は湾曲状に形成されて前記両端部の間の開口部に支柱を配置可能な棒状の第１押さえ部と、機器を固定する機器固定部と前記支柱に当接する当接部とを有して前記第１押さえ部の開口部を閉じるように配置される第２押さえ部とを備え、前記第２押さえ部は前記第１押さえ部の一方の端部が貫通可能な切欠き部と前記第１押さえ部の他方の端部が貫通可能な略Ｌ字状の孔部とを設けられているものである。
【発明の効果】
【０００７】
この発明の機器取付器具によれば、両端部にそれぞれ一対の螺子部を有し、かつ中央部分が屈曲又は湾曲状に形成されて両端部の間の開口部に支柱を配置可能な棒状の第１押さえ部と、機器を固定する機器固定部と支柱に当接する当接部とを有して第１押さえ部の開口部を閉じるように配置される第２押さえ部とを備え、第２押さえ部は第１押さえ部の一方の端部が貫通可能な切欠き部と第１押さえ部の他方の端部が貫通可能な略Ｌ字状の孔部とを設けられているので、簡易な構造で作業性を向上させることができる。
【発明を実施するための最良の形態】
【０００８】
実施の形態１．
この発明による機器取付器具の一実施の形態を説明する。図１は実施の形態１による機器取付器具を示す外観図である。図において、機器取付器具１が機器固定部２によりアンテナ３０を保持し、第１押さえ部３と第２押さえ部４によりマスト５０に固定されることでアンテナ３０がマスト５０に取付けられている。
【０００９】
また、機器固定部２は板材を略Ｌ字状に曲げ加工することで形成されており、アンテナ３０の取付孔２ａと第２押さえ部４への取付孔２ｂを有し、取付孔２ａを貫通した螺子によりアンテナを固定し、取付孔２ｂを貫通したボルトにナットを締結することで第２押さえ部４に固定される。また、取付孔２ｂは長手方向に複数設けられており、アンテナ３０の位置が相対的に移動可能になっている。
【００１０】
また、第１押さえ部３は棒状部材を曲げ加工することで、略Ｕ字状の湾曲部又は略Ｖ字状の屈曲部を有して両端部の間が開口した形状とし、その両端部には雄螺子３ａが設けられ、それに蝶ナット３ｂが螺合されている。なお、この実施の形態１では、第１押さえ部２は曲げ部分を略Ｖ字状に形成しているが、略Ｕ字状としても良く、また、曲げ加工でなく鋳造や切削加工で形成しても、一般的に言うＵボルトを用いても良い。
【００１１】
また、図２は図１に示す第２押さえ部４を示す斜視図である。図において、第２押さえ部４は板材を曲げ加工することで断面略コ字状に形成されており、背板部分における長手方向の一方の端部に切欠き部４ａが設けられ、他方の端部に取付孔４ｂを設けられている。この切欠き部４ａは第１押さえ部３の一方の端部が貫通可能かつ蝶ナット３ｂがその縁部分に係合する幅で他方の端部側に長手に形成されている。取付孔４ｂは図１に示すようにボルト／ナットにより機器固定部２を取付けるための取付孔である。
【００１２】
また、第２押さえ部４は長手方向に沿った開口縁部に当接部４ｃを設けられている。この当接部４ｃはマスト５０の外形に沿うような形状に形成されており、図２では図中の上側のみ図示されているが、不図示の下側も同様にマスト５０に沿うように形成されている。
【００１３】
また、第２押さえ部４は背板部分のほぼ中央部分に貫通孔部４ｄを設けられている。この貫通孔部４ｄは背板部分の長手方向（所定方向に相当）に長手の第１孔部４ｄ１とそれにほぼ直交する方向に長手の第２孔部４ｄ２とを有し、第２孔部４ｄ２は第２孔部４ｄ１の一方側端部（図示では切欠き部４ａ側端部に相当）に連なっており、その他端は図２に示すように第２押さえ部４の曲げ部を含み当接部４ｃの近傍まで形成されている。これら貫通孔部４ｄ、第１孔部４ｄ１、第２孔部４ｄ２はそれぞれ第１押さえ部の屈曲部分から先端部までを貫通可能に形成され、少なくとも第１孔部４ｄ１の縁部分が蝶ナット３ｂに係合する大きさに形成されている。また、図２に示すように貫通孔部４ｄは略Ｌ字状に形成されている。
【００１４】
また、図２に示すように、切欠き部４ａと貫通孔部４ｄとの間に当接部４ｃが配置されている。したがって、図１に示すように当接部４ｃがマスト５０に当接し、切欠き部４ａを第１押さえ部３の一方の端部が貫通し、貫通孔部４ｄを第１押さえ部３の他方の端部が貫通して、第１，第２押さえ部３，４によりマスト５０を挟み込むように取付けることができる。
【００１５】
次に動作を図により説明する。図３から図８はマストへの取付け動作を示す説明図である。図３に示すように、まず、蝶ナット３ｂを雄螺子３ａに仮結合させて第１押さえ部３が第２押さえ部４から抜けないようにした状態にする。それから、第１孔部４ｄ１の一方端まで第１押さえ部３をずらし、第１押さえ部３の一方の端部が切欠き部４ａに掛からない状態とする。
【００１６】
次に、図４に示すように第１孔部４ｄ１と第２孔部４ｄ２の連なった部分を中心に第１押さえ部３を約９０度回動させる。
【００１７】
次に、図５に示すように、第１押さえ部３の屈曲部分まで第２孔部４ｄ２に貫通させ、第１押さえ部３をその開口部が上方を向くよう回動させる。次にマスト５０に第２押さえ部４の当接部４ｃを当接させる。
【００１８】
次に、図６及び図７に示すように、第１押さえ部３をマスト５０側に回動させて、マスト５０をその開口部内に入れ、若干斜めに傾けながら他方の端部を第１孔部４ｄ１と第２孔部４ｄ２の連なった部分側に移動させ、一方の端部を切欠き部４ａ側に移動させる。この際、第２孔部４ｄ２が第２押さえ部の曲げ部分を含めて当接部４ｃ近傍まで形成されているので、マスト５０を開口部内に容易に入れることができる。
【００１９】
次に、図８に示すように、第１押さえ部３を第１孔部４ｄ１及び切欠き部４ａに沿って機器固定部２側に移動させ、その移動端で蝶ナット３ｂを締結して、機器取付器具１をマスト５０に固定する。
【００２０】
なお、この実施の形態１では貫通孔部４ｄを略Ｌ字状に形成したが、それに限定するものではなく、第１孔部４ｄ１に連なり、その長手方向以外の方向（すわなち、第２押さえ部４の曲げ部分に向かう方向）に長い第２孔部があれば良い。例えば、第２孔部４ｄ２を第１孔部４ｄ１の短方向の長さよりも大きい丸孔として、その孔部分が第２押さえ部の曲げ部分に近いようにしたとしても、本実施態様と同等に近い機能が得られることが上述の動作説明により容易に理解できるであろう。
【００２１】
以上説明したように、この実施の形態１による機器取付器具１によれば、両端部に雄螺子３ａと蝶ナット３ｂを有して中央部分が屈曲状に形成されて、その両端部の間の開口部にマスト５０を配置可能に形成された棒状の第１押さえ部３と、機器を固定する機器固定部２とマスト５０に当接する当接部４ｃとを有して第１押さえ部３の開口部を閉じるように配置される第２押さえ部４とを備え、第２押さえ部４は第１押さえ部３の一方の端部が貫通可能な切欠き部４ａと他方の端部が貫通可能な貫通孔部４ｄとを設けられ、貫通孔部４ｄは第２押さえ部４の長手方向に長手の第１孔部４ｄ１とこの第１孔部４ｄ１に連なってその方向以外の略９０度異なる方向に形成された長い第２孔部４ｄ２とを有しているので、アンテナ３０が固定された第２押さえ部４をマスト５０に当接させた状態で、第１押さえ部３を移動せることにより機器取付器具１をマスト５０に固定させることができ、簡易な構造で、作業性が改善できるという効果を奏する。また、貫通孔部４ｄは略Ｌ字状の孔なので、第１押さえ部３の移動に最低限必要な孔とすることができ、第２押さえ部４の強度を十分なものとすることができる。また、第２孔部４ｄ２が曲げ部分を含めて当接部４ｃ近傍まで形成されているので、マスト５０に取付ける際の作業性が良い。また、第２押さえ部４は板材を曲げることで断面略コ字状に形成され、かつ当接部４ｃが長手方向に沿った開口縁部分に形成され、かつ第１孔部４ｄ１が背板部分に長手方向に沿って形成され、かつ第２孔部４ｄ２が曲げ部分まで含めて形成されているので、板金のプレス、曲げ加工により容易に製造できる。また、第１押さえ部は一対の螺子部のうち雌螺子に蝶ナットを用いているので、高所での取付け作業などの場合でもスパナなどを用いずに固定できるので作業性を向上できる。
【００２２】
実施の形態２．
この発明による機器取付器具の他の実施態様を説明する。図９は実施の形態２による機器取付器具の第２押さえ部を示す説明図である。図において、図２と同一符号は同一又は相当部分を示し説明を省略する。第２押さえ部４は背板部分に貫通孔部４ｅを設けられている。この貫通孔部４ｅは背板部分の長手方向に長手の第１孔部４ｅ１とこの第１孔部４ｅ１に連なって曲げ部分近傍まで形成された第２孔部４ｅ２とを有している。この貫通孔部４ｅの機能は図２に示す貫通孔部４ｄと同一なので、動作説明は省略する。図９に示す貫通孔部４ｅを用いた場合でも従来に比して作業性を向上できる。なお、図１に示す第１押さえ部３の開口の幅よりも大きな開口の第１押さえ部（不図示）を用いれば、この貫通孔部４ｅであっても図１に示す貫通孔部４ｄと同等の作業性を期待できる。
【００２３】
実施の形態３．
この発明による機器取付器具の他の実施態様を説明する。図１０は実施の形態３による機器取付器具の第２押さえ部を示す説明図である。図において、図２と同一符号は同一又は相当部分を示し説明を省略する。第２押さえ部４の切欠き部４ａは、背板部分における長手方向に沿って長手に形成され、かつその切欠き内に長手方向以外の方向に窪んだ窪み部４ａ１，４ａ２を形成されている。この窪み部４ａ１，４ａ２は第１押さえ部３（図１に示す）が入り込める大きさに形成されている。さらに切欠き部４ａの窪み部４ａ１，４ａ２は、その第１孔部４ｄ側の縁部にＲ面取り部４ａ３，４ａ４を形成されている。この実施の形態３による切欠き部４ａの窪み部４ａ１，４ａ２によれば、機器取付けの際に、例えば第２押さえ部４が斜めになったとしても、第１押さえ部３が窪み部４ａ１又は４ａ２に入り込んで引っ掛かるので、第１押さえ部３の一方の端部が切欠き部４ａから脱落するのを防止できるので、作業性を向上させることができる。また、窪み部４ａ１，４ａ２の縁部の第１孔部４ｄ側にＲ面取り部４ａ３，４ａ４を設けられ、当接部４ｃがマスト５０の外形に沿うように形成されているので、例えば第１押さえ部３の一方の端部が窪み部４ａ１又は４ａ２に引っ掛かった状態で蝶ナット３ｂを締めたとしても、マスト５０の軸心を当接部４ｃの中心にほぼ一致させることができ、簡易な構造で作業性をさらに向上できる。なお、Ｒ面取り部４ａ３，４ａ４はＣ面取りであっても同等の効果を期待できる。
【００２４】
実施の形態４．
この発明による機器取付器具の他の実施態様を説明する。図１１は実施の形態４による機器取付器具の機器固定部を示す説明図である。図において、図１と同一符号は同一又は相当部分を示し説明を省略する。機器固定部２は板材を略Ｌ字状に曲げ加工することで形成されており、アンテナ３０の取付孔２ａと第２押さえ部４への取付孔２ｃを有し、取付孔２ａを貫通した螺子によりアンテナを固定し、取付孔２ｃを貫通したボルトにナットを締結することで第２押さえ部４に固定される。また、取付孔２ｃは機器固定部２の長手方向に長孔状に形成されており、アンテナ３０の位置が相対的に移動可能になっている。この実施の形態４による機器固定部２の取付孔２ｃによれば、図１に示す取付孔２ｂよりもアンテナ３０の位置を相対的に移動可能である。
【図面の簡単な説明】
【００２５】
【図１】この発明の実施の形態１による機器取付器具を示す外観図である。
【図２】図１に示す第２押さえ部の詳細説明図である。
【図３】図１に示す機器取付器具の動作説明図である。
【図４】図１に示す機器取付器具の動作説明図である。
【図５】図１に示す機器取付器具の動作説明図である。
【図６】図１に示す機器取付器具の動作説明図である。
【図７】図１に示す機器取付器具の動作説明図である。
【図８】図１に示す機器取付器具の動作説明図である。
【図９】この発明による機器取付器具の他の態様を示す説明図である。
【図１０】この発明による機器取付器具の他の態様を示す説明図である。
【図１１】この発明による機器取付器具の他の態様を示す説明図である。
【符号の説明】
【００２６】
１  機器取付器具、  ２  機器固定部、  ２ａ〜２ｃ  取付孔、  ３  第１押さえ部、  ３ａ  雄螺子、  ３ｂ  蝶ナット  ４  第２押さえ部  ４ａ  切欠き部、４ａ１，４ａ２  窪み部、  ４ａ３，４ａ４  Ｒ面取り部  ４ｂ  取付孔、  ４ｃ  当接部、  ４ｄ  貫通孔部、  ４ｄ１  第１孔部、  ４ｄ２  第２孔部、  ４ｅ  貫通孔部、  ４ｅ１  第１孔部、４ｅ２  第２孔部。
【図１】
2005030583.tif 000003
【図２】
2005030583.tif 000004
【図３】
2005030583.tif 000005
【図４】
2005030583.tif 000006
【図５】
2005030583.tif 000007
【図６】
2005030583.tif 000008
【図７】
2005030583.tif 000009
【図８】
2005030583.tif 000010
【図９】
2005030583.tif 000011
【図１０】
2005030583.tif 000012
【図１１】
2005030583.tif 000013